(57)【要約】【課題】  捕獲する飛翔昆虫の量を増大できると共に捕獲する飛翔昆虫の種類を拡大でき、捕獲量及び捕獲種類の両方を満足できるようにした捕虫器の提供。【解決手段】  開口部１０を有するケース１と、光により飛翔昆虫を誘引させる発光手段２と、誘引した飛翔昆虫を粘着面３０，４０に付着させて捕獲させる２枚の捕虫紙３，４とを備え、それぞれの捕虫紙は同一面全面が単一色に着色されたものであって、ケース内に設けられた２枚の捕虫紙の色が異なるようにした。【選択図】  図２
2007110985.tif 000002
【特許請求の範囲】
【請求項１】
開口部を有するケースと、光により飛翔昆虫を誘引するように前記ケース内に設けられた発光手段と、誘引した飛翔昆虫を粘着面に付着させて捕獲させるように前記ケース内に設けられた少なくとも２枚の捕虫紙とを備え、
前記それぞれの捕虫紙は同一面全面が単一色に着色されたものであって、前記ケース内に設けられた少なくとも２枚の捕虫紙の中には色が異なる２種類の捕虫紙が含まれていることを特徴とする捕虫器。
【請求項２】
ケース内に設けられた少なくとも２枚の捕虫紙の中には黄色捕虫紙及び／又は緑色捕虫紙が含まれている請求項１記載の捕虫器。
【発明の詳細な説明】
【技術分野】
【０００１】
本発明は、光によってケース内に誘引した飛翔昆虫を、捕虫紙の粘着面に付着させて捕獲するようにした捕虫器に関し、特に、捕虫紙の色彩を利用した捕虫技術に関する。
【背景技術】
【０００２】
飛翔昆虫を捕獲対象にした捕虫器として、開口部を有するケースと、光により飛翔昆虫を誘引するようにケース内に設けられた発光手段と、誘引した飛翔昆虫を粘着面に付着させて捕獲させるようにケース内に設けられた２枚のテープ状捕虫紙とを備えたものが知られている（例えば、（商標）ムシポン：ベンハーはかり株式会社製）。
この捕虫器では、２枚の捕虫紙が設けられているが、この２枚の捕虫紙は、どちらも同じ色であり、色としては１色のみが使用されたものになっている。
【０００３】
ところで、飛翔昆虫が色によって誘引される性質を持っていることは既に知られており、例えば、ニクバエ類、キンバエ類、イエバエ類等は黄色に誘引され、クロバネキノコバエ類、ノミバエ類、チャタテ類等は緑色に誘引される傾向が強いとされている。
【０００４】
このように、飛翔昆虫の種類によって誘引する色が異なるもので、従来のように、捕虫紙に使用される色（誘引色）が１色のみであると、この色に誘引されるグループの飛翔昆虫については捕獲効果が得られるものの、その色に誘引されないグループの飛翔昆虫については捕獲効果が期待できないという問題があった。
【０００５】
又、捕虫器に用いる捕虫紙として、同一面上に２以上の色（誘引色）を組み合わせるようにしたものが提案されている（特許文献１参照）。
このように、同一面上に２以上の色を組み合わせると、１つの捕虫紙で種が異なる複数種の飛翔昆虫を捕獲できるという利点がある。
しかしながら、同一面上に２以上の色を組み合わせると、それぞれの色の面積が小さくなってしまい、それだけ目立ち難くなるため誘引力が低下してしまうという問題があった。
【特許文献１】特許公開２０００−６０４０４号公報
【発明の開示】
【発明が解決しようとする課題】
【０００６】
本発明は、捕獲する飛翔昆虫の量を増大できると共に捕獲する飛翔昆虫の種類を拡大でき、捕獲量及び捕獲種類の両方を満足できるようにした捕虫器を提供することを課題としている。
【課題を解決するための手段】
【０００７】
上記の課題を解決するために本発明（請求項１）の捕獲器は、
開口部を有するケースと、光により飛翔昆虫を誘引するように前記ケース内に設けられた発光手段と、誘引した飛翔昆虫を粘着面に付着させて捕獲させるように前記ケース内に設けられた少なくとも２枚の捕虫紙とを備え、
前記それぞれの捕虫紙は同一面全面が単一色に着色されたものであって、前記ケース内に設けられた少なくとも２枚の捕虫紙の中には色が異なる２種類の捕虫紙が含まれている構成とした。
【０００８】
又、本発明（請求項２）の捕獲器は、請求項１記載の捕虫器において、
ケース内に設けられた少なくとも２枚の捕虫紙の中には黄色捕虫紙及び／又は緑色捕虫紙が含まれている構成とした。
【発明の効果】
【０００９】
本発明の捕虫器は、同一面全面を単一色に着色した少なくとも２枚の捕虫紙をケース内に設け、その捕虫紙の中には色が異なる２種類の捕虫紙が含まれている構成に特徴がある。
【００１０】
即ち、それぞれの捕虫紙は、同一面全面が単一色であるため、その色を目立たせることができ、誘引力を向上させて捕獲量を増大させることができる。
又、色が異なる２種類の捕虫紙を設けているため、一方の色の捕虫紙によって、その色に誘引される種類の飛翔昆虫を捕獲できるし、他方の色の捕虫紙によって、その誘引される種類の飛翔昆虫を捕獲できるもので、捕獲できる飛翔昆虫の種類を拡大できる。
【００１１】
このように、本発明によれば、捕獲する飛翔昆虫の量を増大できると共に捕獲する飛翔昆虫の種類を拡大でき、捕獲量及び捕獲種類の両方を満足することができる。
【発明を実施するための最良の形態】
【００１２】
図１は本発明の第１実施例にかかる捕虫器を示す斜視図、図２はその捕虫器の断面図である。
【００１３】
本実施形態の捕虫器Ａは、光及び色によって飛翔昆虫を誘引し、捕獲するもので、ケース１と、発光手段としての蛍光灯２と、捕虫紙としての２枚の捕虫テープ３，４を備えている。
【００１４】
前記ケース１は横長ボックス形状に形成され、正面を全面的に開放した開口部１０が形成されている。
このケース１は、その設置に際し、天井等から吊り下げたり、壁に取り付けたりするもので、その取付手段（図示省略）が設けられている。
【００１５】
前記蛍光灯２はケース１の内部に取り付けられるもので、棒状に形成され、その両端がケース側壁内面にソケット２０，２０を介して着脱可能に取り付けられた状態で、ケース１内の奥部に横架状態に取り付けられている。
なお、この蛍光灯２は紫外線を放射し、これにより飛翔昆虫を誘引することを可能にしている。
【００１６】
前記捕虫テープ３，４はケース１の内部に取り付けられるもので、前記開口部１０に向けた正面の片面だけが粘着剤を塗布した粘着面３０，４０に形成され、その両端がケース１の側壁内面に着脱可能に取り付けられた状態で、前記蛍光灯２の真上と真下に横架状態に取り付けられている。
この場合、上側捕虫テープ３は正面の全面が黄色の単一色に着色された粘着面３０に形成され、下側捕虫テープ４は正面の全面が緑色の単一色に着色された粘着面４０に形成されている。
【００１７】
以上のように構成された捕虫器Ａでは、蛍光灯２の光によってケース１の内部に開口部１０を通して飛翔昆虫を誘引させ、その誘引した飛翔昆虫を上側捕虫テープ３の粘着面３０及び下側捕虫テープ４の粘着面４０に付着させて捕獲することができる。
【００１８】
このとき、上側捕虫テープ３の粘着面３０を黄色にし、下側捕虫テープ４の粘着面４０を緑色にしているため、上側捕虫テープ３では、黄色に誘引され易いニクバエ類、キンバエ類、イエバエ類等を誘引して捕獲でき、一方、下側捕虫テープ４では、緑色に誘引され易いクロバネキノコバエ類、ノミバエ類、チャタテ類等を誘引して捕獲でき、捕獲できる飛翔昆虫の種類を拡大することができる。
【００１９】
又、前記上側捕虫テープ３及び下側捕虫テープ４は、正面の全面が単一色（黄色一色及び緑色一色）であるため、その色を目立たせることができ、誘引力を向上させて捕獲量を増大させることができる。
【００２０】
図３は本発明の第２実施例にかかる捕虫器の断面図である。
この捕虫器Ａは、第１実施例に比べて、上側捕虫テープ３及び下側捕虫テープ４が蛍光灯２の真上位置及び真下位置よりもやや正面側に寄った位置に取り付けられている。
【００２１】
そして、上側捕虫テープ３は、その正面及び裏面の両面共に全面が黄色の単一色に着色された粘着面３０，３０に形成され、下側捕虫テープ４は、その正面及び裏面の両面共に全面が緑色の単一色に着色された粘着面４０，４０に形成されている。
【００２２】
このように、捕虫テープ３，４は、その両面共に粘着面３０，４０に形成されているため、捕虫テープ３，４の裏側に侵入した飛翔昆虫についても捕獲することができ、その捕獲能力を向上できる。
【００２３】
なお、本発明において、ケースは必ずしも横長ボックス形状に形成する必要はなく、縦長ボックス形状でも、円形ボックス形状でもよい。
又、ケースの開口部は正面だけでなく、正面と裏面の両面に形成してもよい。
【００２４】
発光手段としては、飛翔昆虫に対する誘引作用があれば蛍光灯に限らず、その他の光源（例えば、紫外線ランプ等）を使用できるし、その形状は棒状、リング状、球状でもよいし、数は少なくとも１個（１個又は複数個）あればよい。
【００２５】
捕虫紙としては、その基材が必ずしも紙である必要はなく、プラスチックシートを基材とすることができるし、テープ状に限らず、帯状に形成してもよい。
枚数については少なくとも２枚以上を必要とする。
【００２６】
捕虫紙の粘着面については、片面又は両面を粘着面に形成することができる。
捕虫紙の色については、前記第１実施例のように正面のみを誘引色にしてもよいし、前記第２実施例のように正面及び裏面の両面共に誘引色にしてもよい。
又、色は黄色や緑色に限らず、飛翔昆虫に対する誘引作用があれば、例えば、オレンジ色や青色等、その色に制限はない。
【００２７】
両面を誘引色にする場合、たとえば、片面を黄色とし、他面を緑色にした捕虫紙を形成させ、上下２枚の捕虫紙を使用する場合に、上側捕虫紙は正面が黄色になるように取り付け、下側捕虫紙は正面が緑色になるように取り付ければ、一種類の捕虫紙を反転させるだけで上側捕虫紙と下側捕虫紙とに使い分けでき、捕虫紙の製造コストやストック管理等の手間を軽減できる。
【図面の簡単な説明】
【００２８】
【図１】本発明の第１実施例にかかる捕虫器を示す斜視図である。
【図２】その捕虫器の断面図である。
【図３】本発明の第２実施例にかかる捕虫器の断面図である。
【符号の説明】
【００２９】
１  ケース
１０  開口部
２  蛍光灯（発光手段）
２０  ソケット
３  上側捕虫テープ（捕虫紙）
３０  粘着面
４  下側捕虫テープ（捕虫紙）
４０  粘着面
Ａ  捕虫器
【図１】
2007110985.tif 000003
【図２】
2007110985.tif 000004
【図３】
2007110985.tif 000005